(57)【要約】【課題】軸筒及びノックの前後方向の寸法及び径を小さい状態とするスリムタイプのボールペンの構成を提供すること。【解決手段】軸筒１内にレフィール３、ノック６、スプリング５及びスプリング止め４を配設しているボールペンであり、軸筒１に前方孔又は前方スリット１１及び後方スリット１２を連設し、ノック６にボタン８を挿入するための挿入孔６１を設け、ノック６の後端又はノックの突起部６２の前進操作を前提としたうえで、最も小さな径を有する上段胴部８１、中間の径を有する中段胴部８２、最も大きな径を有する下段胴部８３を備えたボタン８の中段胴部８２による前方孔又は前方スリット１１に対し、その後端における上側への突出によって筆記状態を保持し、上段胴部８１の後方スリット１２に対し、その後端における上側への突出によって筆記していない状態を保持することによって上記課題を達成し得るスリムタイプボールペン。【選択図】図１
2014226823.tif 000002
【特許請求の範囲】
【請求項１】
先端に口金を着脱自在に螺着し、後端にノックを前後方向移動可能な状態にて係合している軸筒との長手方向に沿ってインクを収納するパイプ及びペン先を有するレフィールを、ノックによる前方向への押圧及びスプリングの後方への弾性力を介して前後方向に移動可能な状態にて収納し、かつ当該スプリングを口金後端とレフィールの後端にて固着されているスプリング止めとの間にて伸縮自在にて固着しているボールペンであって、軸筒においてスプリング止めの後側に、前方孔及び後方スリットを連設すると共に、ノックにおいてボタンを挿入するための挿入孔としてパイプを下方に突設し、当該ボタンは、上段胴部、中段胴部、下段胴部をそれぞれ備えており、上側胴部は前方孔並びに後方スリット及び挿入孔の何れに対しても、上側に貫通可能な径を有しており、中段胴部は、前方孔及び挿入孔の何れに対しても、上側に貫通可能であるも、後方スリットに対しては上側に貫通不可能な径を有しており、下段胴部は、挿入孔の上側に対しては貫通可能であるも、前方孔及び後方スリットの何れに対しても、上側に貫通不可能な径を有しており、下段胴部を上下方向スプリングによって上側に付勢した状態にて下方から支持する一方、当該上下スプリングの下端は、ノックの下側内壁によって支持されるか、又はノックの下側孔を貫通した状態にて軸筒の下側内壁にて支持されており、筆記段階では、中段胴部が前方孔に対しその後端に当接した状態にて上側に突出すると共に、下段胴部が挿入孔を構成するパイプの内壁の前端に当接した状態にて挿入孔から上側に突出しており、筆記していない段階では、上段胴部が後方スリットに対しては、その後端に当接した状態にて上側に突出し、かつ挿入孔を構成するパイプの内壁の前端が下段胴部に当接すると共に、ノックの後端が軸筒の後端よりも後側に突出するようなノックの前後方向長さを設定しているスリムタイプボールペン。
【請求項２】
先端に口金を着脱自在に螺着し、後端にノックを前後方向移動可能な状態にて係合している軸筒との長手方向に沿ってインクを収納するパイプ及びペン先を有するレフィールを、ノックによる前方向への押圧及びスプリングの後方への弾性力を介して前後方向に移動可能な状態にて収納し、かつ当該スプリングを口金後端とレフィールの後端にて固着されているスプリング止めとの間にて伸縮自在にて固着しているボールペンであって、軸筒においてスプリング止めの後側に、前方スリット及び後方スリットを連設すると共に、ノックにおいてボタンを挿入するための挿入孔としてパイプを下方に突設すると共に、当該挿入孔の前方に、前方スリットに対して上側に貫通した状態にて移動可能な突起部の下方にて一体成型されている柱状部を嵌入するための嵌入孔としてパイプを下方に突設し、当該パイプの内壁に対して柱状部を圧着するか又は接着剤によって接着することによって突起部を嵌入孔に固着し、当該ボタンは、上段胴部、中段胴部、下段胴部をそれぞれ備えており、上側胴部は前方孔並びに後方スリット及び挿入孔の何れに対しても、上側に貫通可能な径を有しており、中段胴部は、前方孔及び挿入孔の何れに対しても、上側に貫通可能であるも、後方スリットに対しては上側に貫通不可能な径を有しており、下段胴部は、挿入孔の上側に対しては貫通可能であるも、前方孔及び後方スリットの何れに対しても、上側に貫通不可能な径を有しており、下段胴部を上下方向スプリングによって上側に付勢した状態にて下方から支持する一方、当該上下スプリングの下端は、ノックの下側内壁によって支持されるか、又はノックの下側孔を貫通した状態にて軸筒の下側内壁にて支持されており、筆記段階では、中段胴部が前方孔に対しその後端に当接した状態にて上側に突出すると共に、下段胴部が挿入孔を構成するパイプの内壁の前端に当接した状態にて挿入孔から上側に突出しており、筆記していない段階では、上段胴部が後方スリットに対しては、その後端に当接した状態にて上側に突出し、かつ挿入孔を構成するパイプの内壁の前端が下段胴部に当接すると共に、ノックの後端が軸筒の後端よりも後側に突出しないようにノックの前後方向長さを設定しているスリムタイプボールペン。
【請求項３】
挿入孔をノックの下側内壁に到る状態にて突設していることを特徴とする請求項１、２の何れか一項に記載のスリムタイプボールペン。
【請求項４】
ボタンの頂部に上段胴部よりも大きな径を有し、かつ手指によってタッチ可能なタッチ板を付加したことを特徴とする請求項１、２、３の何れか一項に記載のスリムタイプボールペン。
【請求項５】
下段胴部の下端より下側に下段胴部よりも小さな径を有するスプリング巻着胴部を突設し、当該スプリング巻着胴部の周囲に上下方向スプリングを巻着し、かつ当該スプリングの上端が下段胴部の下端面を上側に付勢していることを特徴とする請求項１、２、３、４の何れか一項に記載のスリムタイプボールペン。
【請求項６】
下段胴部の上下方向の全部領域又は一部領域にスプリング挿入用空洞部を設け、当該空洞部の上端面を上下方向スプリングの上端が上側に付勢していることを特徴とする請求項１、２、３、４の何れか一項に記載のスリムタイプボールペン。
【発明の詳細な説明】
【技術分野】
【０００１】
本発明は、前進によって、筆記状態を実現するボールペンであって、特に軸筒の径を小さい設計とすることが可能であるスリムタイプのボールペンに関するものである。
【背景技術】
【０００２】
出願人は、これまで諸タイプのボールペンの構成を提唱し、かつ特許出願を行った。
例えば、特許文献１に示すボールペンにおいては、筆記具ボディと螺合し得る外側筒部を設けることによって、使用時においては、筆記具ボディを外側からカバーすることによって、適度な太さによる把持を可能とし、他方不使用時においては、芯又はペン先を外側からカバーして、落下又は振動に基づく破損又は損傷を保護するだけでなく、ポケット等に収納した際、芯又はペン先に刺傷の発生を防止することもできる。
【０００３】
特許文献２のボールペンにおいては、軸筒内に特定の構成のダンパー阻止を設けることによって、レフィール、及び回転の後退に際し、レフィールバネの弾発力を必要に応じて緩和することができ、これによって快適なノックの操作を実現することができる。
【０００４】
然るに、近年ポケットにおけるコンパクトな支持及び簡便な把持を伴うスピーディーな筆記を可能とするために、小さな径による軸筒を有しているスリムタイプのボールペンが要請されている。
【０００５】
にも拘らず、特許文献１及び同２においては、スリムタイプのボールペンを実現するために格別の設計上の工夫が行われている訳ではなく、かつこの点は、特許文献１及び同２以外の他の公知文献の場合にも変わりはない。
【先行技術文献】
【特許文献】
【０００６】
【特許文献１】特開平１１−３４２６９６号公報
【特許文献２】特開２００２−３０７８９２号公報
【発明の概要】
【発明が解決しようとする課題】
【０００７】
本発明は、コンパクトな状態によるポケットによる支持及びスピーディーな筆記を実現することを目的として、軸筒及びノックの前後方向の寸法及び径を小さい状態とするスリムタイプのボールペンの構成を提供することを課題としている。
【課題を解決するための手段】
【０００８】
前記課題を達成するため、本発明の基本構成は、
（１）先端に口金を着脱自在に螺着し、後端にノックを前後方向移動可能な状態にて係合している軸筒との長手方向に沿ってインクを収納するパイプ及びペン先を有するレフィールを、ノックによる前方向への押圧及びスプリングの後方への弾性力を介して前後方向に移動可能な状態にて収納し、かつ当該スプリングを口金後端とレフィールの後端にて固着されているスプリング止めとの間にて伸縮自在にて固着しているボールペンであって、軸筒においてスプリング止めの後側に、前方孔及び後方スリットを連設すると共に、ノックにおいてボタンを挿入するための挿入孔としてパイプを下方に突設し、当該ボタンは、上段胴部、中段胴部、下段胴部をそれぞれ備えており、上側胴部は前方孔並びに後方スリット及び挿入孔の何れに対しても、上側に貫通可能な径を有しており、中段胴部は、前方孔及び挿入孔の何れに対しても、上側に貫通可能であるも、後方スリットに対しては上側に貫通不可能な径を有しており、下段胴部は、挿入孔の上側に対しては貫通可能であるも、前方孔及び後方スリットの何れに対しても、上側に貫通不可能な径を有しており、下段胴部を上下方向スプリングによって上側に付勢した状態にて下方から支持する一方、当該上下スプリングの下端は、ノックの下側内壁によって支持されるか、又はノックの下側孔を貫通した状態にて軸筒の下側内壁にて支持されており、筆記段階では、中段胴部が前方孔に対しその後端に当接した状態にて上側に突出すると共に、下段胴部が挿入孔を構成するパイプの内壁の前端に当接した状態にて挿入孔から上側に突出しており、筆記していない段階では、上段胴部が後方スリットに対しては、その後端に当接した状態にて上側に突出し、かつ挿入孔を構成するパイプの内壁の前端が下段胴部に当接すると共に、ノックの後端が軸筒の後端よりも後側に突出するようなノックの前後方向長さを設定しているスリムタイプボールペン、
（２）  先端に口金を着脱自在に螺着し、後端にノックを前後方向移動可能な状態にて係合している軸筒との長手方向に沿ってインクを収納するパイプ及びペン先を有するレフィールを、ノックによる前方向への押圧及びスプリングの後方への弾性力を介して前後方向に移動可能な状態にて収納し、かつ当該スプリングを口金後端とレフィールの後端にて固着されているスプリング止めとの間にて伸縮自在にて固着しているボールペンであって、軸筒においてスプリング止めの後側に、前方スリット及び後方スリットを連設すると共に、ノックにおいてボタンを挿入するための挿入孔としてパイプを下方に突設すると共に、当該挿入孔の前方に、前方スリットに対して上側に貫通した状態にて移動可能な突起部の下方にて一体成型されている柱状部を嵌入するための嵌入孔としてパイプを下方に突設し、当該パイプの内壁に対して柱状部を圧着するか又は接着剤によって接着することによって突起部を嵌入孔に固着し、当該ボタンは、上段胴部、中段胴部、下段胴部をそれぞれ備えており、上側胴部は前方孔並びに後方スリット及び挿入孔の何れに対しても、上側に貫通可能な径を有しており、中段胴部は、前方孔及び挿入孔の何れに対しても、上側に貫通可能であるも、後方スリットに対しては上側に貫通不可能な径を有しており、下段胴部は、挿入孔の上側に対しては貫通可能であるも、前方孔及び後方スリットの何れに対しても、上側に貫通不可能な径を有しており、下段胴部を上下方向スプリングによって上側に付勢した状態にて下方から支持する一方、当該上下スプリングの下端は、ノックの下側内壁によって支持されるか、又はノックの下側孔を貫通した状態にて軸筒の下側内壁にて支持されており、筆記段階では、中段胴部が前方孔に対しその後端に当接した状態にて上側に突出すると共に、下段胴部が挿入孔を構成するパイプの内壁の前端に当接した状態にて挿入孔から上側に突出しており、筆記していない段階では、上段胴部が後方スリットに対しては、その後端に当接した状態にて上側に突出し、かつ挿入孔を構成するパイプの内壁の前端が下段胴部に当接すると共に、ノックの後端が軸筒の後端よりも後側に突出しないようにノックの前後方向長さを設定しているスリムタイプボールペン、
からなる。
【発明の効果】
【０００９】
前記基本構成（１）、（２）に基づく本発明においては、ボタンの下段胴部とノックの挿入孔における上側への貫通及び当該挿入孔の前端と下段胴部との当接を前提としたうえで、ボタンの中段胴部の軸筒の前方孔（基本構成（１）の場合）又は前方スリット（基本構成（２）の場合）における上側への貫通及び当該前方孔又は前方スリットの後端との当接によって、ペン先の口金からの突出による筆記の状態を保持し、ボタンの上段胴部の後方スリットにおける上側への貫通及び後端との当接によって筆記していない状態を保持しており、ボールペンとしての本来の機能を発揮することができる。
【００１０】
しかも、筆記している段階の前進及び収納段階の後退を左右している中段胴部の嵌合による前記当接位置と、上段胴部の嵌合による前記当接位置との距離を３〜６ｍｍ程度とすることによって、従来のカム方式に比し、軸筒及びノックの長手方向の寸法を短縮することができ、しかも上下方向領域の殆どがノック内に配置されており、かつ最も大きな径を有する下段胴部の径を１．５ｍｍ以下とすることができることから、従来のカム方式に比し、小さな径とすることによって、ボールペン全体の形状をスリムタイプに設計することができる。
【００１１】
特に基本構成（２）においては、筆記していない段階にあってもノックの後端が軸筒の後端から突出しないため、筆記していない段階にてノックの後端が突出している通常の設計及び基本構成（１）に比し、長手方向の幅を更に小さな状態に設計することができる。
【図面の簡単な説明】
【００１２】
【図１】基本構成（１）の構成を示す側断面図であって、筆記段階及び筆記していない段階の何れにも属さない中途段階の状態を示している。
【図２】基本構成（２）の構成を示す側断面図であって、筆記段階及び筆記していない段階の何れにも属さない中途段階の状態を示している。
【図３】基本構成（１）において、筆記状態及び筆記していない状態に対応するボタンと軸筒及びノックとの係合関係を示す平面図であって、（ａ）は、筆記状態を示しており、（ｂ）は、筆記していない状態を示している。
【図４】基本構成（２）において、筆記状態及び筆記していない状態に対応するボタンと軸筒及びノックとの係合関係を示す平面図であって、（ａ）は、筆記状態を示しており、（ｂ）は、筆記していない状態を示している。
【発明を実施するための形態】
【００１３】
初めに、前記基本構成（１）、（２）の作動に関する基本原理について説明する。
【００１４】
基本構成（１）においては、図１に示すように、筆記に必要なノック６及びレフィール３の前進は、ノック６の後端を手指によって押圧することによって実現しており、筆記していない段階に至るために、スプリング５の後方への付勢を原因として、ノック６は後側に移動し、その後端は、軸筒１の後端よりも後側に突出している。
【００１５】
これに対し、基本構成（２）においては、図２に示すように、筆記に必要なノック６及びレフィール３の前進は、軸筒１の前方スリット１１に対し上側に貫通している突起部６２に対する手指の把持による前方への移動に基づいて実現しており、かつ筆記していない段階に至るために、スプリング５の付勢によってノック６は後方に移動するも、ノック６は後側に移動するも、その後端は、軸筒１の後端から突出していない状態を維持している。
【００１６】
前記基本構成（１）においては、筆記段階では、図３（ａ）に示すように、ノック６と共に前進したボタン８の中段胴部８２を、上下スプリング７の付勢によってノックの挿入孔６１及び軸筒１の前方孔１１の何れに対しても、上側に貫通させた状態とし、下段胴部８３を上下方向スプリング７の付勢によってノックの挿入孔６１を上側に貫通させると共に胴部の前方孔１１の側部下側に当接した状態とし、かつスプリング５の後方への付勢を原因とする軸筒１の前方孔１１の後端と中段胴部８２との当接、及びノックの挿入孔６１の前端と下段胴部８３との当接を介して、ノック６の後方への移動を阻止することによって筆記状態を保持している。
上記筆記状態を解放する場合には、ボタン８を手指によって下側に押圧することによって軸筒１の前方孔１１に対する中段胴部８２の上側への貫通及びその後端に対する当接状態を解消することによって、スプリング５の後方への付勢に基づいて、上段胴部８１の後方スリット１２における移動又は摺動によってノック６は後側に移動する。
そして、筆記しない段階では、図３（ｂ）に示すように、後方スリット１２の後端と上側に貫通している上段胴部８１との当接、及びノックの挿入孔６１の前端と中段胴部８２又は下段胴部８３との当接を介して、ノック６の更なる後方への移動を阻止することによって、筆記していない状態を保持することができる。
尚、筆記しない段階において、ノックの挿入孔６１の下端が中段胴部８２又は下段胴部８３の何れに当接するかは、中段胴部８２と下段胴部８３の上下方向の寸法比率によって左右されることになる。
【００１７】
前記基本構成（２）においては、筆記段階では、筆記段階では、図４（ａ）に示すように、ノック６と共に前進したボタン８の中段胴部８２を上下スプリング７の付勢によってノックの挿入孔６１及び軸筒１の前方スリット１１の何れに対しても、上側に貫通させた状態とし、下段胴部８３を上下方向スプリング７の付勢によってノックの挿入孔６１を上側に貫通させると共に胴部の前方スリット１１の側部下側に当接した状態とし、かつスプリング５の後方への付勢を原因とする軸筒１の前方孔１１の後端と中段胴部８２との当接、及びノックの挿入孔６１の前端と下段胴部８３との当接を介して、ノック６の後方への移動を阻止することによって筆記状態を保持している。
【００１８】
上記筆記状態を解放する場合には、ボタン８を手指によって下側に押圧することによって軸筒１の前方スリット１１に対する中段胴部８２の上側への貫通及びその後端に対する当接状態を解消することによって、スプリング５の後方への付勢に基づいて、上段胴部８１の後方スリット１２における移動又は摺動によってノック６は後側に移動する。
【００１９】
そして、筆記しない段階では、図４（ｂ）に示すように、後方スリット１２の後端と上側に貫通している上段胴部８１との当接、及びノックの挿入孔６１の前端と中段胴部８２又は下段胴部８３との当接を介して、ノック６の更なる後方への移動を阻止することによって、筆記していない状態を保持することができる。
尚、筆記しない段階において、ノックの挿入孔６１の下端が中段胴部８２又は下段胴部８３の何れに当接するかは、中段胴部８２と下段胴部８３の上下方向の寸法比率によって左右されることは、基本構成（１）の場合と同様である。
【００２０】
基本構成（１）、（２）において、ノック６には、ボタン８を挿入するための挿入孔６１としてパイプを下方に突設しているが、当該突設によってノック６の前後方向の移動に際し、ボタン８が当該パイプの内壁に当接した状態にて一体となって移動することが可能となる。
【００２１】
図１、図３（ａ）、（ｂ）は、前記パイプがノック６の下側内壁にまで突設している実施形態を示しており、図２、図４（ａ）、（ｂ）は、前記パイプがノック６の下側内壁に至らない中途部位まで突設している実施形態を示すが、何れの場合であっても、筆記していない段階にて挿入孔６１と下段胴部８３との当接によって、上記のような一体となった移動を実現することができる。
【００２２】
ノック６が前方又は後方に移動する際、ボタン８の中段胴部８２の上端は、上下方向スプリング７による上方への付勢を伴って、軸筒１の後方スリット１２の側部下側面と摺動し、当該摺動に伴って動摩擦抵抗力が発生するが、挿入孔６１を形成するパイプの内壁と下段胴部８３との当接を介したスプリング５の後方への付勢、及び手指による前方へ移動させる力の方が大きいことから、上記摺動による動摩擦抵抗力は、前後方向の移動に対する支障とはなり得ない。
逆に、上下方向スプリング７の付勢は、上記動摩擦抵抗力の大きさがスプリング５の後方への付勢、及び手指による前方に移動させる力の支障とはならない程度であることを必要とする。
【００２３】
図１、図３（ａ）、図４（ａ）は、何れも上下方向スプリング７がノック６の下側内壁と当接した状態を示しており、図２、図３（ｂ）、図４（ｂ）は、上下方向スプリング７が軸筒１の下側内壁と当接した状態を示しており、基本構成（１）、（２）は、何れの構成をも採用可能である。
【００２４】
ノック６の下側内壁と当接する構成の場合には、上下スプリングの下端がノック６の移動に伴って軸筒１の下側内壁と摺動しないというメリットが存在する一方、上下方向スプリング７は、上下方向の移動距離が短く、圧縮の程度が著しいため、弾性疲労が生じ易いという傾向にある。
【００２５】
これに対し、軸筒１の下側内壁に当接する構成の場合には、逆に上記摺動状態を生じ、多少摩耗することがあるが、上下方向スプリング７における上下方向の移動距離をより長く設定することが可能となり、弾性疲労が少ないというメリットが存在する。
【００２６】
図１、図２に示すボタン８においては、ボタン８の頂部に上段胴部８１よりも大きな径を有する手指によってタッチ可能なタッチ板８６を付加しているが、このようなタッチ板８６の付加によって、手指は、筆記状態から解放される際、上段胴部８１の細い径を有している頂部との接触を避け、タッチ板８６とのソフトタッチによる下方への押圧を実現することができる。
【００２７】
前記基本構成（２）において、ノック６及びレフィール３の前方への移動に関与する突起部６２を、ノック６から上側に突出するような金型成型を行ったのでは、ノック６を軸筒１内に挿通することができない。
このような状況を考慮し、基本構成（２）においては、挿入孔６１の前側の位置にて突起部６２に対し、下側にて一体成型されている柱状部６３を嵌入するための嵌入孔６５として、パイプを下側に突設している。
【００２８】
挿入孔６１を形成するパイプの場合と同様に、嵌入孔６５を形成するパイプについても、図４（ｂ）に示すように、ノック６の下側内壁に至るまで突設する実施形態、及び図１並びに図４（ａ）に示すように当該下側内壁に至らない中途部位まで突設する実施形態の何れをも採用可能である。
しかも、上記中途部位まで突設する実施形態の場合に、図４（ｂ）に示すように、パイプに底面を備えた場合には、柱状部６３の寸法を短く設計することが可能となる。
【００２９】
ノック６において、突起部６２を軸筒１の前方スリット１１に対し上側に貫通した状態にて設けるために、嵌入孔６５を形成するパイプを前方スリット１１の下側にて下方に突設するが、当該パイプの内壁に対し、前記柱状部６３を圧着するか又は接着剤によって接着することによって、突起部６２を嵌入孔６５に固着することができる。
尚、図２及び図４（ｂ）は、嵌入孔６５に対する圧着状態を示し、図４（ａ）の柱状部６３と嵌入孔６５との間の黒色ラインは、接着剤による接着状態を示す。
【００３０】
基本構成（１）、（２）の何れにおいても、ボタン８のうち、少なくとも下段胴部８３、及び上下方向スプリング７の全部（ノック６の下側内壁にて下端を支持する場合）又はノック６の下側孔６４を下側に貫通する領域部分以外の領域（軸筒１の下側内壁にて下端を支持する場合）を軸筒１及びノック６内に配設することを必要不可欠とする。
【００３１】
このような配設は、
（ａ）軸筒１の後方スリット１２の後側、又は前方孔若しくは前方スリット１１の前側に、予めボタン８の下段胴部８３よりも大きな径を有する孔（図示せず）を設定し、当該孔及びノックの挿入孔６１から上下方向スプリング７及びボタン８を挿入した後（最初に上下方向スプリング７を挿入した後、ボタン８を挿入する場合と、双方を一体として挿入する場合との双方が選択可能である。）、ボタン８及びノック６を前方に移動させ、かつボタン８の上段胴部８１を軸筒１の後方スリット１２を上側に突出する状態としたうえで、軸筒１に設けた上記孔を外側から被覆板（図示せず）によってカバーする方式、
又は、
（ｂ）上下方向スプリング７及びボタン８をノックの挿入孔６１からノック６内に挿入した後（最初に上下方向スプリング７を挿入した後、ボタン８を挿入する場合と、双方を一体として挿入する場合との双方が選択可能である。）、ボタン８及びノック６を軸筒１の後端開口部から挿入し、かつボタン８の上段胴部８１を軸筒１の上側内壁と摺動させながらボタン８及びノック６を前方に移動し、上段胴部８１を後方スリット１２から突出させたうえで、軸筒１の後端の一部を後端板（図示せず）によってカバーするか（基本構成（１）の場合）、又は開口部の全部を後端板（図示せず）によってカバーする（基本構成（２）の場合）方式、
を採用することができる。
【００３２】
以下、実施例に即して説明する。
【実施例１】
【００３３】
実施例１は、図１及び図３（ａ）、（ｂ）に示すように、下段胴部８３の下端より下側に下段胴部８３よりも小さな径を有するスプリング巻着胴部を突設し、当該スプリング巻着胴部の周囲に上下方向スプリング７を巻着し、かつ当該上下方向スプリング７の上端が下段胴部８３の下端面を上側に付勢していることを特徴としている。
【００３４】
このように、上下方向スプリング７の下側突起部８４に対する巻着によって、上下方向スプリング７は、ボタン８との係合関係を維持し、上下方向への弾性力の付勢によってボタン８の前後方向の位置を保持することができ、かつこの点は、基本構成（１）、（２）の何れにおいても妥当する。
【実施例２】
【００３５】
実施例２は、図２及び図４（ａ）、（ｂ）に示すように、下段胴部８３の上下方向の全部領域又は一部領域にスプリング挿入用空洞部８５を設け、当該空洞部８５の上端面を上下方向スプリング７の上端が上側に付勢していることを特徴としている。
【００３６】
このように、上下方向スプリング７を下段胴部８３の空洞部８５内への嵌入によって、上下方向スプリング７は、ボタン８との係合関係を維持し、上下方向の弾性力の付勢によって、ボタン８の前後方向の位置を保持することができ、かつこの点は、基本構成（１）、（２）の何れにおいても妥当する。
【産業上の利用可能性】
【００３７】
このように、本発明は、コンパクトタイプのボールペンとして、広範な利用形態を可能としている。
【符号の説明】
【００３８】
１    軸筒
１１    前方孔又は前方スリット
１２    後方スリット
２    口金
３    レフィール
３１    ペン先
４    スプリング止め
５    スプリング
６    ノック
６１    ノックの挿入孔
６２    突起部
６３    柱状部
６４    下側孔
６５    嵌入孔
７    上下方向スプリング
８    ボタン
８１    上段胴部
８２    中段胴部
８３    下段胴部
８４    下側突起部
８５    空洞部
８６    タッチ板
【図１】
2014226823.tif 000003
【図２】
2014226823.tif 000004
【図３】
2014226823.tif 000005
【図４】
2014226823.tif 000006
【手続補正書】
【提出日】平成25年8月1日(2013.8.1)
【手続補正１】
【補正対象書類名】明細書
【補正対象項目名】０００３
【補正方法】変更
【補正の内容】
【０００３】
特許文献２のボールペンにおいては、軸筒内に特定の構成のダンパー素子を設けることによって、レフィール、及び回転子の後退に際し、レフィールバネの弾発力を必要に応じて緩和することができ、これによって快適なノックの操作を実現することができる。
【手続補正２】
【補正対象書類名】明細書
【補正対象項目名】００１６
【補正方法】変更
【補正の内容】
【００１６】
前記基本構成（１）においては、筆記段階では、図３（ａ）に示すように、ノック６と共に前進したボタン８の中段胴部８２を、上下スプリング７の付勢によってノックの挿入孔６１及び軸筒１の前方孔１１の何れに対しても、上側に貫通させた状態とし、下段胴部８３を上下方向スプリング７の付勢によってノックの挿入孔６１を上側に貫通させると共に軸筒１の前方孔１１の側部下側に当接した状態とし、かつスプリング５の後方への付勢を原因とする軸筒１の前方孔１１の後端と中段胴部８２との当接、及びノックの挿入孔６１の前端と下段胴部８３との当接を介して、ノック６の後方への移動を阻止することによって筆記状態を保持している。
上記筆記状態を解放する場合には、ボタン８を手指によって下側に押圧することによって軸筒１の前方孔１１に対する中段胴部８２の上側への貫通及びその後端に対する当接状態を解消することによって、スプリング５の後方への付勢に基づいて、上段胴部８１の後方スリット１２における移動又は摺動によってノック６は後側に移動する。
そして、筆記しない段階では、図３（ｂ）に示すように、後方スリット１２の後端と上側に貫通している上段胴部８１との当接、及びノックの挿入孔６１の前端と中段胴部８２又は下段胴部８３との当接を介して、ノック６の更なる後方への移動を阻止することによって、筆記していない状態を保持することができる。
尚、筆記しない段階において、ノックの挿入孔６１の下端が中段胴部８２又は下段胴部８３の何れに当接するかは、中段胴部８２と下段胴部８３の上下方向の寸法比率によって左右されることになる。
【手続補正３】
【補正対象書類名】明細書
【補正対象項目名】００１７
【補正方法】変更
【補正の内容】
【００１７】
前記基本構成（２）においては、筆記段階では、筆記段階では、図４（ａ）に示すように、ノック６と共に前進したボタン８の中段胴部８２を上下スプリング７の付勢によってノックの挿入孔６１及び軸筒１の前方スリット１１の何れに対しても、上側に貫通させた状態とし、下段胴部８３を上下方向スプリング７の付勢によってノックの挿入孔６１を上側に貫通させると共に軸筒１の前方スリット１１の側部下側に当接した状態とし、かつスプリング５の後方への付勢を原因とする軸筒１の前方孔１１の後端と中段胴部８２との当接、及びノックの挿入孔６１の前端と下段胴部８３との当接を介して、ノック６の後方への移動を阻止することによって筆記状態を保持している。
【手続補正４】
【補正対象書類名】明細書
【補正対象項目名】００２８
【補正方法】変更
【補正の内容】
【００２８】
挿入孔６１を形成するパイプの場合と同様に、嵌入孔６５を形成するパイプについても、図４（ｂ）に示すように、ノック６の下側内壁に至るまで突設する実施形態、及び図１並びに図４（ａ）に示すように当該下側内壁に至らない中途部位まで突設する実施形態の何れをも採用可能である。
しかも、上記中途部位まで突設する実施形態の場合に、図４（ａ）に示すように、パイプに底面を備えた場合には、柱状部６３の寸法を短く設計することが可能となる。